(57)【要約】【課題】放射線の流出を大幅に低減し、放射性薬剤用薬瓶収容容器としての品質を十分に確保する。【解決手段】放射性薬剤用薬瓶４を収容する容器本体２を第一蓋３ａで覆い、この第一蓋３ａに、薬瓶上面４ｃが露出すると共に薬瓶上面４ｃとの対面位置の径が薬瓶４の外径より小とされる開口７を形成して、当該第一蓋３ａの開口７を第二蓋３ｂで覆い、薬瓶４に注射針１０を刺すべく第二蓋３ｂが開蓋された場合の放射線の流出口を、従来に比して小径の開口とする。【選択図】  図１
2005040197.tif 000002
【特許請求の範囲】
【請求項１】
放射性薬剤が収容される放射性薬剤用薬瓶を収容するための容器であって、前記薬瓶を収容する容器本体と、この容器本体を覆う蓋と、を備える放射性薬剤用薬瓶収容容器において、
前記蓋は、前記薬瓶の上面を外部へ露出可能とする開口を備えて前記容器本体を覆い、前記開口の前記薬瓶上面との対面位置の径が、前記薬瓶の外径より小とされる第一蓋と、
この第一蓋の前記開口を覆う第二蓋と、を具備することを特徴とする放射性薬剤用薬瓶収容容器。
【請求項２】
前記開口は、その周面が、前記薬瓶の上部を囲繞すると共に前記薬瓶の上部外形に沿う形状を備えることを特徴とする請求項１記載の放射性薬剤用薬瓶収容容器。
【請求項３】
前記第一蓋の前記開口の周面又はこの周面に対面する前記第二蓋の外周面の何れか一方に、収容容器内と外部とを連通する連通溝を備えることを特徴とする請求項１又は２記載の放射性薬剤用薬瓶収容容器。
【請求項４】
前記連通溝を複数個備えることを特徴とする請求項３記載の放射性薬剤用薬瓶収容容器。
【発明の詳細な説明】
【０００１】
【発明の属する技術分野】
本発明は、放射性薬剤が収容される放射性薬剤用薬瓶を収容するための容器に関する。
【０００２】
【従来の技術】
例えば病院等のＰＥＴ検査（陽電子断層撮影検査）等に使用される放射性薬剤は、放射性薬剤用薬瓶（バイアル）に収容され、この薬瓶は、放射性薬剤用薬瓶収容容器に収容され使用に供される。
【０００３】
この放射性薬剤用薬瓶収容容器としては、薬瓶を収容する有底筒状の容器本体と、この容器本体を覆う蓋と、を備え、これらの容器本体及び蓋を、当該収容容器からの放射線の流出を阻止すべく、例えば鉛等の放射線遮蔽材で構成したものが知られている（例えば、特許文献１参照）。
【０００４】
【特許文献１】
特開平６―３４５１３３号公報
【０００５】
【発明が解決しようとする課題】
上記放射性薬剤用薬瓶収容容器にあっては、当該収容容器に収容されている薬瓶内の放射性薬剤を被検者へ投与する場合、収容容器の蓋を開けて薬瓶に注射針を刺して吸引する。従って、注射針を刺す度に収容容器の蓋を開けることが必要で、その度に放射線が流出することから、放射線の流出を如何に少なくするかが求められている。
【０００６】
ここで、放射性薬剤用薬瓶収容容器の蓋に貫通孔を設け、当該収容容器の蓋を開けることなく、注射針を貫通孔に通して薬瓶に刺すことも考えられるが、この構成では、放射線の流出を妨げるべく、常時開口している貫通孔の径を可能な限り小さくする必要があるため、注射針を貫通孔に通す際に当該注射針の先端や側面が収容容器の蓋に接触する可能性が高く、この蓋に接触し埃や汚れ等の異物が付着した注射針が薬瓶内に入り当該異物が放射性薬剤に混入する虞がある。
【０００７】
そこで、本発明は、注射針を薬瓶に刺すべく開蓋した場合の放射線の流出が大幅に低減され、放射性薬剤用薬瓶収容容器としての品質が十分に確保される放射性薬剤用薬瓶収容容器を提供することを目的とする。
【０００８】
【課題を解決するための手段】
本発明による放射性薬剤用薬瓶収容容器は、放射性薬剤が収容される放射性薬剤用薬瓶を収容するための容器であって、薬瓶を収容する容器本体と、この容器本体を覆う蓋と、を備える放射性薬剤用薬瓶収容容器において、蓋は、薬瓶の上面を外部へ露出可能とする開口を備えて容器本体を覆い、開口の薬瓶上面との対面位置の径が、薬瓶の外径より小とされる第一蓋と、この第一蓋の開口を覆う第二蓋と、を具備することを特徴としている。
【０００９】
このように構成された放射性薬剤用薬瓶収容容器によれば、放射性薬剤用薬瓶を収容する容器本体が第一蓋で覆われ、この第一蓋に、薬瓶上面が露出すると共に薬瓶上面との対面位置の径が薬瓶の外径より小とされる開口が形成されて、当該第一蓋の開口が第二蓋で覆われる。このため、薬瓶に注射針を刺すべく第二蓋が開蓋された場合の放射線の流出口が、従来に比して小径の開口とされ、放射線の流出が大幅に低減されるようになる。
【００１０】
ここで、開口は、その周面が、薬瓶の上部を囲繞すると共に薬瓶の上部外形に沿う形状を備えていると、収容容器と薬瓶との隙間が最小とされ、当該収容容器が従来に比して小型化されると共に軽量化される。
【００１１】
また、第一蓋の開口の周面又はこの周面に対面する第二蓋の外周面の何れか一方に、収容容器内と外部とを連通する連通溝を備えていると、薬瓶に注射針を刺し当該注射針が連通溝を通るようにして、第二蓋を閉じることが可能とされ、これ以降は、第二蓋を開蓋すること無く、注射針を通しての薬瓶に対する放射性薬剤の注入／吸引が可能とされる。
【００１２】
また、連通溝を複数個備えていると、薬瓶に刺すことが可能とされて薬瓶内と収容容器外とを連通し空気の流通を可能とする空気抜針が、注射針を通しているのとは別の連通溝を通るようにして、第二蓋を閉じることが可能とされ、上記注射針を通しての薬瓶に対する放射性薬剤の注入／吸引が円滑に実施される。
【００１３】
【発明の実施の形態】
以下、本発明による放射性薬剤用薬瓶収容容器の好適な実施形態について添付図面を参照しながら説明する。図１は、本発明の実施形態に係る放射性薬剤用薬瓶収容容器を示す縦断面図、図２は、図１に示す放射性薬剤用薬瓶収容容器の平面図である。
【００１４】
図１に示すように、放射性薬剤用薬瓶収容容器１は、液状放射性薬剤１２が収容される薬瓶４を収容するためのもので、本実施形態では、薬瓶４に収容される液状放射性薬剤が、ＰＥＴ検査に使用されるＦＤＧ（１８Ｆ−フルオロデオキシグルコース）とされている。
【００１５】
この収容容器１は、薬瓶４を収容する容器本体２と、この容器本体２を覆う蓋３と、を備えている。これらの容器本体２及び蓋３は、放射線遮蔽材としての例えばタングステンや鉛等で構成され、薬瓶４から出射される放射線の外部への透過漏出を阻止する。
【００１６】
薬瓶４は、略牛乳瓶様の有底円筒状を成し、放射性薬剤１２を収容する胴部４ａに対して上部４ｂが小径の円筒形状に構成されると共に、上部４ｂの下部が末広がりの傾斜面に構成されて胴部４ａに連設され、上部４ｂの上面開口が、後述の注射針１０の刺通を可能とする封止蓋４ｃで封止されている。
【００１７】
容器本体２は、図１及び図２に示すように、略有底円筒状を成し、図１に示すように、円筒内の底面から薬瓶４の胴部４ａの略上縁に対応する高さ迄が、薬瓶４の胴部４ａに比して多少大径とされて当該薬瓶４の胴部４ａを収容する薬瓶胴部収容領域２ａとされると共に、この領域２ａから上面の開放端面へ行くに従って、内周面が段階的に拡大される段付形状とされている。
【００１８】
この容器本体２には、円筒内底面に、薬瓶４の破損を防止するためのバイアルクッション５が設置されていると共に、本体外周上部に、図１及び図２に示すように、収容容器１全体を運搬するための把手６が揺動自在に設けられている。
【００１９】
蓋３は、容器本体２を覆う第一蓋３ａと、この第一蓋３ａを覆う第二蓋３ｂと、を備えている。
【００２０】
図１に示すように、第一蓋３ａは、当該第一蓋３ａを貫通する開口７を中央に備える略円板状に構成されている。この開口７は、その下部が、薬瓶４の上部４ｂを囲繞すると共に当該上部４ｂの外形に沿う形状に構成されて薬瓶上部囲繞開口７ａとされている。
【００２１】
また、この開口７は、上端の開放端から下方に行くに従って周面が小径とされる擂鉢状開口７ｂを備え、この擂鉢状開口７ｂの下端が、薬瓶４の封止蓋４ｃに比して小径とされて薬瓶上部囲繞開口７ａの上端に連通し、当該封止蓋４ｃを外部へ露出する構成とされている。
【００２２】
このような開口７を備える第一蓋３ａは、その下面が、容器本体２の上記段付形状に対応し合致する形状に構成されている。このような第一蓋３ａと容器本体２との合わせ面の段付形状は、第一蓋３ａと容器本体２の隙間を流出しようとする放射線を減衰させる。
【００２３】
また、第一蓋３ａには、図１及び図２に示すように、その上面に、当該第二蓋３ａを容器本体２に対して取り外す、又、蓋する際に掴むための把手８が揺動自在に設けられている。
【００２４】
第二蓋３ｂは、第一蓋３ａの擂鉢状開口７ｂの形状に対応し合致する漏斗状に構成され、当該第一蓋３ａの擂鉢状開口７ｂを覆う。
【００２５】
この第二蓋３ｂは、その傾斜する外周面に二箇所１８０°対角の位置に、図１に示すように、傾斜面に沿って収容容器１内と外部とを連通する連通溝３ｃ，３ｃを備えている。この連通溝３ｃの一方は、仮想線で示す注射針１０を通すためのもので、連通溝３ｃの他方は、仮想線で示す空気抜針１１を通すためのものである。なお、連通溝３ｃ，３ｃは、必ずしも、１８０°対角の位置に配置する必要は無い。
【００２６】
このように構成された放射性薬剤用薬瓶収容容器１では、放射性薬剤１２を収容した薬瓶４を、収容容器１に収容する場合には、第二蓋３ｂを取り外し、第一蓋３ａを取り外してから、薬瓶４を容器本体２に収容し、第一蓋３ａを容器本体１に被せてから、第二蓋３ｂを第一蓋３ａに被せる。
【００２７】
ここで、薬瓶４の放射性薬剤１２を被検者に投与する場合には、第二蓋３ｂを取り外し、第一蓋３ａの開口７の擂鉢状開口７ｂを通して、シリンジ（不図示）に取り付けられている注射針１０を、薬瓶４の封止蓋４ｃに突き刺す。
【００２８】
このように、注射針１０を、擂鉢状開口７ｂを通して薬瓶４の封止蓋４ｃに突き刺すことから、開口７の封止蓋４ｃとの対面位置の径（擂鉢状開口７ｂの下端最小径）は、注射針１０の先端や側面が擂鉢状開口７ｂの周面に接触しない程度の大きさとされている。
【００２９】
また、この開口７の封止蓋４ｃとの対面位置の部分が、放射線の流出口とされ、この放射線流出口の径は、薬瓶の外径と略同程度の大きさとされている従来の放射線流出口に比して十分小さくされている。
【００３０】
そして、注射針１０の先端が、薬瓶４の封止蓋４ｃを刺通して放射性薬剤１２に浸漬したら、シリンジのピストンを移動させて放射性薬剤１２を吸引する。
【００３１】
この時、空気抜針１１を、その先端が、薬瓶４内の放射性薬剤１２に浸漬しないようにして封止蓋４ｃに突き刺しておくと、放射性薬剤１２の吸引が円滑に行われる。なお、この空気抜針１１にあっては、異物の放射性薬剤１２への混入を防止すべく、空気流通経路にフィルタ（不図示）が設けられている。
【００３２】
そして、吸引作業が終了したら、注射針１０を抜いて（空気抜針１１を刺通している場合には当該空気抜針１１も抜いて）第二蓋３ｂを第一蓋３ａに被せる。
【００３３】
このように、本実施形態においては、薬瓶４の封止蓋４ｃに注射針１０を刺すべく第二蓋３ｂを開蓋した場合の放射線の流出口が、開口７の封止蓋４ｃとの対面位置の開口（擂鉢状開口７ｂの最小開口）とされ、当該開口が薬瓶２の外径より小とされて従来に比して十分小さくされているため、放射線の流出が大幅に低減されている。従って、放射性薬剤用薬瓶収容容器としての品質が十分に確保されている。
【００３４】
また、開口７の薬瓶上部囲繞開口７ａの周面が、薬瓶４の上部４ｂの外形に沿う形状に構成されているため、収容容器１と薬瓶４との隙間が最小とされ、当該収容容器１が従来に比して小型化されると共に軽量化されている。従って、収容容器１の取り扱いが容易とされている。
【００３５】
このように、注射針１０を薬瓶４の封止蓋４ｃに刺した状態を維持する必要が無い用途にのみ用いる場合には、上記連通溝３ｃ，３ｃは必要無い。
【００３６】
次に、上記連通溝３ｃ，３ｃを利用して注射針１０を薬瓶４の封止蓋４ｃに刺した状態を維持し、薬瓶４に対して放射性薬剤を注入／吸引する場合について説明する。
【００３７】
先ず、薬瓶４に対して放射性薬剤を注入する場合には、空の薬瓶４が収容されている収容容器１の第二蓋３ｂを取り外し、第一蓋３ａの開口７の擂鉢状開口７ｂを通して、注射針１０を薬瓶４の封止蓋４ｃに突き刺す。また、空気抜針１１も、その先端が、封止蓋４ｃの下面近傍に位置するように突き刺す。この時、注射針１０及び空気抜針１１を、１８０°対角の位置で、第一蓋３ａの擂鉢状開口７ｂの周面に沿うように配置する。
【００３８】
この状態で、注射針１０、空気抜針１１が第二蓋３ｂの連通溝３ｃ，３ｃの各々を通るようにして第二蓋３ｂを被せ、当該第二蓋３ｂを閉じた状態とし、注射針１０を通して薬瓶４に放射性薬剤を注入する。この時、空気抜針１１により、放射性薬剤１２の注入は円滑に行われ、薬瓶４に放射性薬剤１２が収容される。
【００３９】
一方、薬瓶４から放射性薬剤を吸引する場合には、注射針１０及び空気抜針１１が薬瓶４の封止蓋４ｃを刺通している状態で、第二蓋３ｂを開蓋すること無く、注射針１０を通して放射性薬剤１２を吸引すれば良い。この時、空気抜針１１により、放射性薬剤１２の吸引は円滑に行われる。
【００４０】
斯くの如く、第二蓋３ｂに連通溝３ｃを設けて当該連通溝３ｃに注射針１０を通すことで、第二蓋３ｂを開けること無く、注射針１０を通しての薬瓶４に対する放射性薬剤１２の注入／吸引が可能とされている。このため、放射線の流出が一層低減されると共に開蓋の煩雑さが低減されている。
【００４１】
以上、本発明をその実施形態に基づき具体的に説明したが、本発明は上記実施形態に限定されるものではなく、例えば、上記実施形態においては、蓋３ａ，３ｂを被せる構成としているが、回転して係脱可能に装着する構成としても良い。
【００４２】
また、上記実施形態においては、連通溝３ｃを、第二蓋３ｂに設けるようにしているが、第一蓋３ａの擂鉢状開口７ｂの周面に設けるようにしても良い。
【００４３】
また、上記実施形態においては、ＦＤＧを収容する薬瓶に対する適用を述べているが、１１Ｃ、１３Ｎ等の他の陽電子放出核種や、６７Ｇａ、２０１Ｔｌ等のＳＰＥＣＴ検査用の放射性薬剤を収容する薬瓶に対しても勿論適用可能であり、要は、放射性薬剤を収容する薬瓶全てに対して適用可能である。
【００４４】
【発明の効果】
本発明による放射性薬剤用薬瓶収容容器によれば、放射性薬剤用薬瓶を収容する容器本体を第一蓋で覆い、この第一蓋に、薬瓶上面が露出すると共に薬瓶上面との対面位置の径が薬瓶の外径より小とされる開口を形成して、当該第一蓋の開口を第二蓋で覆い、薬瓶に注射針を刺すべく第二蓋が開蓋された場合の放射線の流出口を、従来に比して小径の開口としているため、放射線の流出が大幅に低減され、放射性薬剤用薬瓶収容容器としての品質を十分に確保することが可能となる。
【図面の簡単な説明】
【図１】本発明の実施形態に係る放射性薬剤用薬瓶収容容器を示す縦断面図である。
【図２】図１に示す放射性薬剤用薬瓶収容容器の平面図である。
【符号の説明】
１…放射性薬剤用薬瓶収容容器、２…容器本体、２ａ…薬瓶胴部収容領域、３…蓋、３ａ…第一蓋、３ｂ…第二蓋、３ｃ…連通溝、４…薬瓶、４ａ…薬瓶胴部、４ｂ…薬瓶上部、４ｃ…封止蓋、７…開口、７ａ…薬瓶上部囲繞開口、７ｂ…擂鉢状開口、１０…注射針、１１…空気抜針、１２…放射性薬剤。
【図１】
2005040197.tif 000003
【図２】
2005040197.tif 000004